(57)【要約】【課題】交通制限を最小限に抑えた橋梁の架け替え工法を提供すること。【解決手段】既設橋梁２１を新橋梁桁Ｎに架け替える橋梁の架け替え工法において、既設橋梁２１の傍らに第一の台船２４ａ、２４ｂ、２４ｃを配置する工程と、その傍らであって、既設橋梁２１とは反対側に第二の台船２６、２７、２８を配置する工程と、第二の台船２６、２７、２８上で新橋梁Ｎの桁を地組みする工程と、既設橋梁２１の橋脚間の水上に第一の台船２４ａ、２４ｂ、２４ｃを移動させる工程と、第一の台船２４ａ、２４ｂ、２４ｃ上に、切断した既設橋梁２１の桁を支持させる工程と、第一の台船２４ａ、２４ｂ、２４ｃを架橋場所から離れた場所に移動させる工程と、第二の台船２６、２７、２８を移動させ、第二の台船２６、２７、２８上に支持された新橋梁Ｎの桁を既設橋梁２１のあった位置に配置する工程と、新橋梁Ｎを据え付ける工程と、を含むものである。【選択図】        図１４−１
2007321474.tif 000002
【特許請求の範囲】
【請求項１】
水上に架けられた既設橋梁を新橋梁に架け替える橋梁の架け替え工法において、
前記既設橋梁の傍らに第一の水上固定台船を配置する工程と、
前記第一の水上固定台船上で前記新橋梁の桁を地組みする工程と、
前記既設橋梁の橋脚間の水上に第二の水上固定台船を配置する工程と、
前記第二の水上固定台船上の支持手段に、切断した前記既設橋梁の桁を支持させる工程と、
前記第二の水上固定台船を架橋場所から離れた場所に移動させる工程と、
第一の固定台船を移動させ、当該第一の固定台船上に支持された新橋梁の桁を前記既設橋梁のあった位置に配置する工程と、
前記新橋梁を据え付ける工程と、
を含むことを特徴とする橋梁の架け替え工法。
【請求項２】
水上に架けられた既設橋梁を新橋梁桁に架け替える橋梁の架け替え工法において、
前記既設橋梁の傍らに第一の水上固定台船を配置する工程と、
前記第一の水上固定台船の傍らであって、前記既設橋梁とは反対側に第二の水上固定台船を配置する工程と、
前記第二の水上固定台船上で前記新橋梁の桁を地組みする工程と、
前記既設橋梁の橋脚間の水上に第一の水上固定台船を移動させる工程と、
前記第一の水上固定台船上に、切断した前記既設橋梁の桁を支持させる工程と、
前記第一の水上固定台船を架橋場所から離れた場所に移動させる工程と、
第二の水上固定台船を移動させ、当該第二の水上固定台船上に支持された新橋梁の桁を前記既設橋梁のあった位置に配置する工程と、
前記新橋梁を据え付ける工程と、
を含むことを特徴とする橋梁の架け替え工法。
【請求項３】
前記水上固定台船は、複数のブロックを組み合わせて構成される組立形式であることを特徴とする請求項１または２に記載の橋梁の架け替え工法。
【請求項４】
前記水上固定台船は、水上に間隔を空けて複数用いることを特徴とする請求項１〜３のいずれか一つに記載の橋梁の架け替え工法。
【請求項５】
前記新橋梁を水上固定台船上でスライドさせることを特徴とする請求項１〜４のいずれか一つに記載の橋梁の架け替え工法。
【発明の詳細な説明】
【技術分野】
【０００１】
本発明は、橋梁の架け替え工法に関するものであり、さらに詳しくは、施工中の通行止め期間が従来よりも短く、常設の構台が不要となる橋梁の架け替え工法に関する。
【背景技術】
【０００２】
都市河川に架けられた橋梁は、老朽化が進んでおり、架け替えが必要な時期となっている。これは、道路橋であると鉄道橋であると変わらない。橋梁の架け替え工法としては、既設橋梁に沿って新設橋を構築し、既設橋、新設橋をスライドさせる工法がある（たとえば、特許文献１）。
【０００３】
【特許文献１】特開２００４−１４３７５７号公報
【発明の開示】
【発明が解決しようとする課題】
【０００４】
しかしながら、河川橋や運河橋は、河川占用による大規模な工事が必要で、かつ長期間の交通規制を伴うという問題点があった。大規模な工事、しかもそれが長期間に及ぶとすれば、事業化が困難であった
【０００５】
そこで、この発明は、上記に鑑みてなされたものであって、極めて効率的に架け替えを行うことにより、施工中の通行止め期間が従来よりも短く、常設の構台が不要となる橋梁の架け替え工法を提供することを目的とする。
【課題を解決するための手段】
【０００６】
上述の目的を達成するために、この発明による橋梁の架け替え工法は、水上に架けられた既設橋梁を新橋梁に架け替える橋梁の架け替え工法において、前記既設橋梁の傍らに第一の水上固定台船を配置する工程と、前記第一の水上固定台船上で前記新橋梁の桁を地組みする工程と、前記既設橋梁の橋脚間の水上に第二の水上固定台船を配置する工程と、前記第二の水上固定台船上の支持手段に、切断した前記既設橋梁の桁を支持させる工程と、前記第二の水上固定台船を架橋場所から離れた場所に移動させる工程と、第一の固定台船を移動させ、当該第一の固定台船上に支持された新橋梁の桁を前記既設橋梁のあった位置に配置する工程と、前記新橋梁を据え付ける工程と、を含むようにしたものである。
【０００７】
この発明では、水上固定台船を使用する。水上固定台船は、水上の所望位置で水平方向および高さ方向をアンカーおよび杭材等で強固に固定できる台船である。この発明では、まず、前記既設橋梁の傍らに第一の水上固定台船を配置する（傍らとは、起重機のハンドリングが可能である近隣範囲という意味である。以下同じ）。そして、前記第一の水上固定台船上で前記新橋梁の桁を地組みする。地組みは、既設橋梁上に設置する起重機で行ってもよいし、河岸から起重機で行ってもよい。
【０００８】
一方、前記既設橋梁の橋脚間の水上に第二の水上固定台船を配置する。これも上記と同様に既設橋梁上に設置する起重機で行ってもよいし、河岸から起重機で行ってもよい。そして、既設橋梁の下にもぐり込んだ前記第二の水上固定台船上に、前記既設橋梁の桁を支持させて、当該既設橋梁を切断する。一体または複数の分割体に切断された橋梁は、前記第二の水上固定台船に支持されたまま、当該第二の水上固定台船と共に曳航、牽引等で移動される。
【０００９】
上記工程により、既設橋梁は、架橋場所から離れた場所に移動され、河岸または適当な荷揚げ位置で、荷揚げ、解体、搬送に付される。既設橋梁が取り除かれた位置に、第一の固定台船を移動させ、当該第一の固定台船上に支持された新橋梁の桁を配置し、最後に新橋梁を両端の道路、線路等の接続路に据え付ける。これにより、極めて効率的に新旧の橋梁の架け替えが可能となり、工期短縮、占有領域縮小、コスト削減が可能となる。
【００１０】
つぎの発明による橋梁の架け替え工法は、水上に架けられた既設橋梁を新橋梁桁に架け替える橋梁の架け替え工法において、前記既設橋梁の傍らに第一の水上固定台船を配置する工程と、前記第一の水上固定台船の傍らであって、前記既設橋梁とは反対側に第二の水上固定台船を配置する工程と、前記第二の水上固定台船上で前記新橋梁の桁を地組みする工程と、前記既設橋梁の橋脚間の水上に第一の水上固定台船を移動させる工程と、前記第一の水上固定台船上に、切断した前記既設橋梁の桁を支持させる工程と、前記第一の水上固定台船を架橋場所から離れた場所に移動させる工程と、第二の水上固定台船を移動させ、当該第二の水上固定台船上に支持された新橋梁の桁を前記既設橋梁のあった位置に配置する工程と、前記新橋梁を据え付ける工程と、を含むようにしたものである。
【００１１】
この発明でも、上記水上固定台船を使用する。この発明では、まず、前記既設橋梁の傍らに第一の水上固定台船を配置する。そして、前記第一の水上固定台船の傍らであって、前記既設橋梁とは反対側に第二の水上固定台船を配置する。その上で、前記新橋梁の桁を地組みする。地組みは、第一の水上固定台船上に設置する起重機で行ってもよいし、河岸から起重機で行ってもよい。なお、当該第一の水上固定台船上に起重機を設置するときは、既設橋梁上の起重機を利用する。
【００１２】
つぎに、前記既設橋梁の橋脚間の水上に第一の水上固定台船を移動させる。この工程は、既設橋梁上に設置する起重機で行ってもよいし、曳航によって行ってもよい。そして、既設橋梁の下にもぐり込んだ前記第一の水上固定台船上に、前記既設橋梁の桁を支持させて、当該既設橋梁を切断する。一体または複数の分割体に切断された橋梁は、前記第一の水上固定台船に支持されたまま、当該第一の水上固定台船と共に曳航、牽引等で移動される。
【００１３】
上記工程により、既設橋梁は、架橋場所から離れた場所に移動され、河岸または適当な荷揚げ位置で、荷揚げ、解体、搬送に付される。既設橋梁が取り除かれた位置に、第二の固定台船を移動させ、当該第二の固定台船上に支持された新橋梁の桁を配置し、最後に新橋梁を両端の道路、線路等の接続路に据え付ける。これにより、極めて効率的に新旧の橋梁の架け替えが可能となり、工期短縮、占有領域縮小、コスト削減が可能となる。
【００１４】
つぎの発明による橋梁の架け替え工法は、前記橋梁の架け替え工法において、前記水上固定台船は、複数のブロックを組み合わせて構成される組立形式であるようにしたものである。
【００１５】
水上固定台船を小さなブロックの組み合わせで構成すると、工事現場まで曳航するのも容易となる。また、陸上でトラック、トレーラで現場近傍まで当該ブロックを搬送した後、特に大型でない起重機で着水させる方式も容易となる。
【００１６】
つぎの発明による橋梁の架け替え工法は、前記橋梁の架け替え工法において、前記水上固定台船は、水上に間隔を空けて複数用いるようにしたものである。
【００１７】
橋梁が架設される河川、運河、海では、当然に水上交通が存在する。この発明では、前記水上固定台船は、水上に間隔を空けて複数用いるようにしたので、工事中、他の船舶の通り抜けが可能となる。
【００１８】
つぎの発明による橋梁の架け替え工法は、前記橋梁の架け替え工法において、前記新橋梁を水上固定台船上でスライドさせるようにしたものである。
【００１９】
新橋梁を水上固定台船上でスライドさせれば、台船を動かさずに新橋梁の桁を地組みできる。これにより、起重機も特に大型のものを使わずに済み、比較的小さな橋梁の架け替えにも対応可能となる。
【発明の効果】
【００２０】
この発明に係る橋梁の架け替え工法によれば、極めて効率的に新旧橋梁の架け替えが可能となるので、既設橋（旧橋梁）の通行止め期間を最小にすることができる。また、常設の構台が不要なため、工費が削減でき、河川占用期間も最小になる。さらに、台船で既設橋梁の桁を移動可能であり、陸上から荷揚げ可能な場所に移動が容易となる。したがって、解体工程が、工事工程上の障害とならない。
【発明を実施するための最良の形態】
【００２１】
以下、この発明につき図面を参照しつつ詳細に説明する。なお、この実施の形態によりこの発明が限定されるものではない。また、下記実施の形態における構成要素には、当業者が容易に想定できるものが含まれるものとする。
【実施例１】
【００２２】
図１−１は、本発明の実施例１に係る橋梁の架け替え工法の第一ステップを示す平面図である。また、図１−２は、図１−１の工程を横からみたときの構成を示す断面図である。本発明は、河川、湖沼、運河、海等、水上に架けられた既設橋梁を新橋梁に架け替えるためのもので、この実施例１では、河川に架けられた橋梁の架け替え例について具体的に説明する。図１−１に示すように、既設橋梁１は、河川２をまたぐように架設されて取付道路に連結されている。
【００２３】
本発明の第一ステップでは、既設橋梁１の傍らに第一の水上固定台船（以下、台船と称する。）を組み立て、配置する。台船４は、それ自体浮力を有する複数の小ブロックから成り、それを鉄骨等で結合させて１つの台船４にしたものである。この台船４の四隅には、杭材７等の金属棒状部材が当該台船４を垂直に貫通し、水底に固定されている。また、台船４は、本体と杭材７との相対位置をねじ、みぞカム等で変化させることにより、高さ方向の調整が可能となっている。
【００２４】
また、当該杭材７と台船４との結合は、適当な高さでのピン貫通等、１００ｔを越える荷重に耐えるべく、極めて強固になされる。これにより、台船４は、高さ方向に調整可能で、かつ固定可能となる。台船４の水平方向の移動は、上記杭材７を水底より抜き上げた状態で、船舶による曳航、または河岸からの牽引で行われる。水平方向に固定する際には、アンカーを打つと共に、上記杭材を打つ。これにより、台船４は、水平方向にも調整可能で、かつ固定可能となる。
【００２５】
台船４の組立には、既設橋梁１上に設置される起重機３を利用してもよいし、陸地からの起重機３を利用してもよい。なお、上述のように、台船４は、複数のブロックの組み合わせであるから、工事現場まで曳航するのも容易である。また、陸上でトラック、トレーラで現場近傍まで当該ブロックを搬送した後、特に大型でない起重機で着水させる方式も容易である。
【００２６】
台船４は、水上に間隔を空けて複数用いると都合が良い。橋脚６の合間を縫って移動、定着可能とり、橋梁が架設される河川、運河、海では、当然に水上交通が存在するから、工事中、それを遮断することなく、他の船舶の通り抜けが可能となるからである。
【００２７】
また、台船４の上面には、のちに新橋梁の桁がこの上で地組みされることから、架台５（５ａ、５ｂ）を組んでおくとよい。また、図の縦方向の架台５ａには横取りのための軌条設備や転動設備を設けておくとよい。なお、これら台船４の組立は、夜間に既設橋梁１の道路を通行止めにして行い、昼間は開放して通行可能とすればよい。
【００２８】
本発明の第二のステップでは、上記第一の台船４上で新橋梁の桁を地組みする。これを示したのが平面図の図２−１、断面図の図２−２、平面図の図３−１、断面図の図３−２、平面図の図４−１、および断面図の図４−２である。地組みは、既設橋梁１上に設置する起重機３で行ってもよいし、河岸から起重機３で行ってもよい。また、既設橋梁１の通行止め日数を短縮できる方法として、河川上よりクローラー台船にて施工することも可能である。地組みの際、台船４は、できるだけ既設橋梁１側に移動させておき、既設橋梁１から見て、台船４の奥に相当する部分８の台船４に新橋梁の桁分割体１０ａを荷下ろしできるようにしておく（図３−１、３−２参照）。これにより、起重機３は大型である必要がなくなり経済的である。
【００２９】
そして、台船４を既設橋梁１から離れる方向に移動させ、今度は、台船４の手前側に新橋梁の桁分割体１０ａを荷下ろしする（図４−１、４−２参照）。既述したように、架台５ａに、軌条設備や転動設備が設けられていると、新橋梁の桁分割体１０ａを台船４上でスライド（横取り）可能となる。この横取り方法を利用すれば、台船４を移動させることなく、上記奥部分８に新橋梁の桁を地組むことができる。これによっても、特に大きな起重機３を用いることなく、その振り幅の範囲内で、新橋梁の桁を地組みできる。なお、新橋梁の桁分割体１０ａは、トラックやトレーラＴで既設橋梁１上に搬送される（図２−１参照）。
【００３０】
本発明の第三のステップでは、既設橋梁１の橋脚６間の水上に第二の台船４を配置する。これを示したのが平面図の図５−１、および図５−１のＡ−Ａ断面図である図５−２である。まず、台船４は、既設橋梁１の傍らであって、第一の台船４と反対側に配置される。台船４は、既設橋梁１上に設置する起重機３で行ってもよいし、河岸から起重機３で行ってもよい。また、台船４上には、上記第一のステップと同様に、架台１４も設置しておくとよい。後述するが、架台１４には、架台１４が昇降可能となるジャッキ等の昇降装置を設けておくとよい。台船４は、その後移動させられ、既設橋梁１の橋脚６間に配置される。なお、このとき、第一の台船４上の新橋梁Ｎ（１０、１１、１２）は、既設橋梁１に隣接させておく。これら台船４の組立は、夜間に既設橋梁１の道路を通行止めにして行い、昼間は開放して通行可能とすればよい。
【００３１】
本発明の第四のステップでは、第二の台船４上の支持手段に、切断した既設橋梁１の桁を支持させる。また、第五のステップは、第二の台船４を架橋場所から離れた場所に移動させる。これを示したのが平面図の図６−１、および図６−１のＢ−Ｂ断面図である図６−２である。第二の台船４に既設橋梁１を支持させるためには、台船４の高さを上げるか、またはジャッキ等の昇降装置（図面省略）によって架台を上げるかのいずれか、または両方の組み合わせとすればよい。なお、通常は、安全のため、既設橋梁１を橋梁のたもとから起重機によって吊り上げ支持しておきながら、下から台船４の架台１４で支持し、必要な箇所で既設橋梁１を切断する。一体または複数の分割体に切断された既設橋梁１は、第二の台船４に支持されたまま、第二の台船４と共に曳航、牽引等で架橋場所から離れた場所に移動され、河岸または適当な荷揚げ位置で、荷揚げ、解体、搬送に付される。なお、台船４に上記昇降装置を備えていれば、既設橋梁１の荷揚げや、解体を低い位置にして行うことができる。既設橋梁１の撤去は、夜間に既設橋梁１の連絡取り付け道路を通行止めにして行う。
【００３２】
本発明の第六のステップでは、第一の台船４を移動させ、当該第一の台船４上に支持された新橋梁の桁を既設橋梁のあった位置に配置する。また、最終ステップで、新橋梁を据え付ける。これを示したのが平面図の図７−１、および図７−１のＣ−Ｃ断面図である図７−２である。上記工程により、既設橋梁１が取り除かれた位置に、第一の台船４を移動させ、第一の台船４上に支持された新橋梁Ｎの桁を配置し、最後に新橋梁Ｎを両端の道路、線路等の接続路に据え付ける。これにより、極めて効率的に新旧の橋梁の架け替えが完了する。なお、新橋梁Ｎの据え付けは、夜間に行い、昼間は据え付け箇所に仮設補強路を設けて通行止めを行わない。
【００３３】
図８−１は、架け替え完了したときの新橋梁Ｎを示す平面図、図８−２は、図８−１のＤ−Ｄ断面図である。本発明による架け替え工法において、新橋梁Ｎが軽重量、高剛性のものであれば、既設橋梁１の橋脚を撤去することも可能となる。この撤去工程は、第一の台船４を既設橋梁１のあった位置に移動させるときに行えばよい。橋脚を撤去すれば、その後の水上交通にとって有益である。
【００３４】
第一の台船４は、新橋梁を支持しながら移動する。この第一の台船４の移動に関しては、当該第一の台船４を、既設橋梁１よりも水流の上流側で組立て、配置すると、新橋梁が地組みされた後、水流により架橋位置に移動するのが容易となる。また、既設橋梁を撤去する前記第一の水上固定台船が、架橋位置から離れるのも容易となる。なお、水流は、河川の流れ、運河では河川の流れと潮流、海の潮流を意味する。
【００３５】
以上により、この発明の実施例１に係る橋梁の架け替え工法によれば、極めて効率的に新旧橋梁の架け替えが可能となり、既設橋梁の通行止め期間を極めて短くすることができる。また、常設の構台が不要なため、工費が削減でき、河川占用期間も最小になる。さらに、台船で既設橋梁の桁を移動可能であり、陸上から荷揚げ可能な場所に移動が容易となる。したがって、解体工程が、工事工程上の障害とならない。
【実施例２】
【００３６】
図９−１は、本発明の実施例２に係る橋梁の架け替え工法の第一ステップを示す平面図である。また、図９−２は、図１−１のＥ−Ｅ断面を示す断面図である。この実施例２では、実施例１とは異なる工程で水上に架けられた既設橋梁桁を新橋梁桁に架け替える工法を説明する。本発明の実施例２に係る第一のステップでは、既設橋梁２１の傍らに第一の台船２４を組み立て、配置する。この工程に関しては、実施例１と同様である。このときの台船２４も、杭材２５が適所にある実施例１の台船（図１−１の台船４）と同様である。
【００３７】
また、台船２４の組立には、既設橋梁２１上に設置される起重機２３を利用してもよいし、河岸からの起重機２３を利用してもよい点も同様である。台船２４は、水上に間隔を空けて複数用いると都合が良い。橋脚２２の合間を縫って移動、定着可能になり、橋梁が架設される河川、運河、海では、当然に水上交通が存在するから、工事中、それを遮断することなく、他の船舶の通り抜けが可能となるからである。なお、これら台船２４の組立は、夜間に既設橋梁２１の道路を通行止めにして行い、昼間は開放して通行可能とすればよい。
【００３８】
本発明の実施例２に係る第二のステップは、第一の台船の傍らであって、既設橋梁とは反対側に第二の台船を配置する。これを示したのが、平面図の図１０−１、およびＦ−Ｆ断面図である図１０−２である。第二の台船２６、２７、２８を組立て、配置するためには、既設橋梁２１から第一の台船２４の上に起重機２３を降ろし、それを利用すればよい。また、河岸から届く範囲であれば、河岸に設ける起重機２３を利用してもよい。なお、起重機２３を第一の台船２４に降ろす際、または降ろしてから、第一の台船２４の高さを上昇させておくのが好ましい。第二の台船２６、２７、２８における作業が行いやすくなるからである。
【００３９】
また、台船２６、２７、２８の上面には、のちに新橋梁３１の桁がこの上で地組みされることから、架台２８、２９、３０を組んでおくとよい。これを示したのが、平面図の図１１−１、およびＧ−Ｇ断面図である図１１−２である。また、図の縦方向の架台には横取りのための軌条設備や転動設備を設けておくとよい。なお、これら台船２６、２７、２８の組立は、夜間に既設橋梁２１の道路を通行止めにして行い、昼間は開放して通行可能とすればよい。
【００４０】
本発明の実施例２に係る第三のステップでは、第二の台船２６、２７、２８上で新橋梁の桁３１を地組みする。これを示したのが平面図の図１２−１、断面図の図１２−２である。地組みは、第一の台船２４上に設置する起重機２３で行ってもよいし、河岸から起重機２３で行ってもよい。この実施例２では、既設橋梁２１上に起重機２３を設ける必要がないので、終日、通行止めが不要となる。台船２６、２７、２８の架台３０に、軌条設備や転動設備が設けられていれば、新橋梁の桁３１ｂを台船２６、２７、２８上でスライド（横取り）可能となる。
【００４１】
横取り方法を利用すれば、台船２６、２７、２８を移動させることなく、新橋梁の桁３１を地組むことができる。これによっても、特に大きな起重機２３を用いることなく、その振り幅の範囲内で、新橋梁の桁３１を地組みできる。なお、新橋梁の分割体は、トラックやトレーラＴで既設橋梁２１上に搬送され、起重機２３で吊り上げ、第二の台船２６、２７、２８上で組み上げる。新橋梁Ｎ（３１、３２、３３）が組み上がったら、第一の台船２４の高さを、その後のステップに備えて下降させる（図１３−１、１３−２参照）。
【００４２】
本発明の第四のステップでは、既設橋梁２１の橋脚２２間の水上に第一の台船２４ａ、２４ｂ、２４ｃを移動させる。これを示したのが平面図の図１３−１、および図１３−１のＩ−Ｉ断面図である図１３−２である。第三のステップまでは、第一の台船２４は、一つの矩形プラットホームを形成していたが、既設橋梁２１の下にもぐりこむために、橋脚２２との干渉を回避せねばならず、ここでは、三つに分解される。台船２４は、複数のブロックの結合体であるから、分解するのも容易である。
【００４３】
台船２４ａ、２４ｂ、２４ｃ上には、上記第二のステップと同様に、架台３４を設置しておくとよい。架台３４には、架台３４が昇降可能となるジャッキ等の昇降装置（図示省略）を設けておくとよい。台船２４ａ、２４ｂ、２４ｃは、その後移動させられ、既設橋梁２１の橋脚２２間に配置される。（図１４−１、１４−２）これらの工程は、既設橋梁２１の道路を通行止めにする必要がなく、終日交通規制は不要である。
【００４４】
本発明の第五のステップでは、第一の台船２４ａ、２４ｂ、２４ｃ上のジャッキ付き架台等の支持手段に、切断した既設橋梁２１の桁を支持させる。また、第六のステップは、第一の台船２４ａ、２４ｂ、２４ｃを架橋場所から離れた場所に移動させる。これを示したのが平面図の図１５−１、および図１５−１のＫ−Ｋ断面図である図１５−２である。第一の台船２４ａ、２４ｂ、２４ｃに既設橋梁２１を支持させるためには、台船２４ａ、２４ｂ、２４ｃの高さを上げるか、またはジャッキ等の昇降装置（図面省略）によって架台を上げるかのいずれか、または両方の組み合わせとすればよい。なお、通常は、安全のため、既設橋梁２１を橋梁のたもとから起重機によって吊り上げ支持しておきながら、下から台船２４ａ、２４ｂ、２４ｃの架台３４で支持し、必要な箇所で既設橋梁２１を切断する。
【００４５】
一体または複数の分割体に切断された既設橋梁２１は、第一の台船２４ａ、２４ｂ、２４ｃに支持されたまま、曳航、牽引等で架橋場所から離れた場所に移動され、河岸または適当な荷揚げ位置で、荷揚げ、解体、搬送に付される。なお、台船２４ａ、２４ｂ、２４ｃに上記昇降装置を備えていれば、既設橋梁２１の荷揚げや、解体を低い位置にして行うことができる。既設橋梁２１の撤去は、夜間に既設橋梁２１の連絡取り付け道路を通行止めにして行う。
【００４６】
本発明の第七のステップでは、第二の台船２６、２７、２８を移動させ、当該第二の台船２６、２７、２８上に支持された新橋梁Ｎの桁を既設橋梁２１のあった位置に配置する。また、最終ステップで、新橋梁を据え付ける。これを示したのが平面図の図１６−１、および図１６−１の断面図である図１６−２である。上記工程により、既設橋梁２１が取り除かれた位置に、第二の台船２６、２７、２８を移動させ、第二の台船２６、２７、２８上に支持された新橋梁Ｎの桁を配置し、最後に新橋梁Ｎを両端の道路、線路等の接続路に据え付ける。これにより、既設橋梁の通行止めを極力せずに、極めて効率的に新旧の橋梁の架け替えが完了する。なお、新橋梁Ｎの据え付けは、夜間に行い、昼間は据え付け箇所に仮設補強路を設けて通行止めを行わない。
【００４７】
本発明による架け替え工法において、新橋梁Ｎが軽重量、高剛性のものであれば、既設橋梁２１の橋脚を撤去することも可能となる。この撤去工程は、第一の台船２４を既設橋梁２１のあった位置に移動させるときに行えばよい。橋梁を撤去すれば、その後の水上交通にとって有益である。
【００４８】
第二の台船２６、２７、２８は、新橋梁Ｎを支持しながら移動する。この第二の台船２６、２７、２８の移動に関しては、当該第二の台船２６、２７、２８を、既設橋梁２１よりも水流の上流側で組立て、配置すると、新橋梁３１が地組みされた後、水流により架橋位置に移動するのが容易となる。また、既設橋梁２１を撤去する前記第一の水上固定台船が、架橋位置から離れるのも容易となる。なお、水流は、河川の流れ、運河では河川の流れと潮流、海の潮流を意味する。
【００４９】
以上により、この発明の実施例２に係る橋梁の架け替え工法によれば、極めて効率的に新旧橋梁の架け替えが可能となり、既設橋梁の通行止め期間を実施例１の場合よりも短くすることができる。また、常設の構台が不要なため、工費が削減でき、河川占用期間も最小になる。さらに、台船で既設橋梁の桁を移動可能であり、陸上から荷揚げ可能な場所に移動が容易となる。したがって、解体工程が、工事工程上の障害とならない。
【産業上の利用可能性】
【００５０】
以上のように、本発明にかかる橋梁の架け替え工法は、水上に架設され、老朽化した橋梁を架け替える際の交通渋滞抑制、特に昼間の交通渋滞抑制に有用である。
【図面の簡単な説明】
【００５１】
【図１−１】実施例１における第一の台船の組立工程を示す平面図である。
【図１−２】実施例１における第一の台船の組立工程を示す断面図である。
【図２−１】実施例１における新設桁地組み工程を示す平面図である。
【図２−２】実施例１における新設桁地組み工程を示す断面図である。
【図３−１】実施例１における新設桁地組み工程を示す平面図である。
【図３−２】実施例１における新設桁地組み工程を示す断面図である。
【図４−１】実施例１における新設桁地組み工程を示す平面図である。
【図４−２】実施例１における新設桁地組み工程を示す断面図である。
【図５−１】実施例１における第二の台船の組立工程を示す平面図である。
【図５−２】実施例１における第二の台船の組立工程を示す断面図である。
【図６−１】実施例１における既設桁撤去工程を示す平面図である。
【図６−２】実施例１における既設桁撤去工程を示す断面図である。
【図７−１】実施例１における新設桁据え付けの様子を示す平面図である。
【図７−２】実施例１における新設桁据え付けの様子を示す断面図である。
【図８−１】実施例１における架け替え完了状態を示す平面図である。
【図８−２】実施例１における架け替え完了状態を示す断面図である。
【図９−１】実施例２における第一の台船の組立工程を示す平面図である。
【図９−２】実施例２における第一の台船の組立工程を示す断面図である。
【図１０−１】実施例２における第二の台船の組立工程を示す平面図である。
【図１０−２】実施例２における第二の台船の組立工程を示す断面図である。
【図１１−１】実施例２における第二の台船の組立工程を示す平面図である。
【図１１−２】実施例２における第二の台船の組立工程を示す断面図である。
【図１２−１】実施例２における新設桁地組み工程を示す平面図である。
【図１２−２】実施例２における新設桁地組み工程を示す断面図である。
【図１３−１】実施例２における第一の台船の高さ降下を示す平面図である。
【図１３−２】実施例２における第一の台船の高さ降下を示す断面図である。
【図１４−１】実施例２における第一の台船の既設桁への移動を示す平面図である。
【図１４−２】実施例２における第一の台船の既設桁への移動を示す断面図である。
【図１５−１】実施例２における既設桁撤去工程を示す平面図である。
【図１５−２】実施例２における既設桁撤去工程を示す断面図である。
【図１６−１】実施例２における架け替え完了状態を示す平面図である。
【図１６−２】実施例２における架け替え完了状態を示す断面図である。
【符号の説明】
【００５２】
１、２１  既設橋梁
２  河川
３、２３  起重機
４、２４、２４ａ、１６、２６、２７、２８、３４  台船
５、５ａ、１４、２８、３０、３４  架台
６、２２  橋脚
７、２５  杭材
８  奥部分
９  分割体
１０、１１、１２、３１  新橋梁
３１、３１ｂ、３２、３３  桁
Ｎ  新橋梁桁
Ｔ  トレーラ
【図１−１】
2007321474.tif 000003
【図１−２】
2007321474.tif 000004
【図２−１】
2007321474.tif 000005
【図２−２】
2007321474.tif 000006
【図３−１】
2007321474.tif 000007
【図３−２】
2007321474.tif 000008
【図４−１】
2007321474.tif 000009
【図４−２】
2007321474.tif 000010
【図５−１】
2007321474.tif 000011
【図５−２】
2007321474.tif 000012
【図６−１】
2007321474.tif 000013
【図６−２】
2007321474.tif 000014
【図７−１】
2007321474.tif 000015
【図７−２】
2007321474.tif 000016
【図８−１】
2007321474.tif 000017
【図８−２】
2007321474.tif 000018
【図９−１】
2007321474.tif 000019
【図９−２】
2007321474.tif 000020
【図１０−１】
2007321474.tif 000021
【図１０−２】
2007321474.tif 000022
【図１１−１】
2007321474.tif 000023
【図１１−２】
2007321474.tif 000024
【図１２−１】
2007321474.tif 000025
【図１２−２】
2007321474.tif 000026
【図１３−１】
2007321474.tif 000027
【図１３−２】
2007321474.tif 000028
【図１４−１】
2007321474.tif 000029
【図１４−２】
2007321474.tif 000030
【図１５−１】
2007321474.tif 000031
【図１５−２】
2007321474.tif 000032
【図１６−１】
2007321474.tif 000033
【図１６−２】
2007321474.tif 000034